(57)【要約】【課題】操作を検出する検出部の個数を少なくする。【解決手段】入力装置１０では、第１検出部３２Ａ，３２Ｂがスライド操作機構６０の位置変化を検出し、ロータリーノブアッシー４０の位置変化を検出する。また、第２検出部３４が、スライド操作及び回転操作の何れの操作であるのかを検出する。このため、スライド操作及び回転操作の両方において、第１検出部３２Ａ，３２Ｂ及び第２検出部３４を用いて、スライド操作及び回転操作を検出することができる。したがって、入力装置１０における操作を検出するための検出部の数を少なくすることができる。【選択図】図１
2019110035.tif 000002
【特許請求の範囲】
【請求項１】
中立位置からスライド操作されることでスライド方向へスライドするスライド操作機構と、
回転操作されることで前記スライド方向と直交する軸線の軸線回りに回転する回転操作機構と、
スライド操作及び回転操作を検出する検出機構と、
を備え、
前記検出機構は、
前記スライド操作機構に対するスライド操作時に前記スライド操作機構の位置変化を検出し、前記回転操作機構に対する回転操作時に前記回転操作機構の位置変化を検出する第１検出部と、
前記スライド操作及び前記回転操作の何れの操作であるのかを検出する第２検出部と、
を含んで構成されている入力装置。
【請求項２】
前記検出機構は、
前記スライド操作機構に連動してスライドする被スライド検出部と、
前記回転操作機構に連動して回転する被回転検出部と、
を含んで構成され、
前記第１検出部は、前記スライド操作機構に対するスライド操作時に前記被スライド検出部の位置変化を検出し、前記回転操作機構に対する回転操作時に前記被回転検出部の位置変化を検出する請求項１に記載の入力装置。
【請求項３】
前記検出機構は、前記スライド操作機構に連動し且つ前記回転操作機構に非連動に構成された被操作検出部を有しており、
前記第２検出部は、前記被操作検出部の位置変化を検出する請求項２に記載の入力装置。
【請求項４】
前記検出機構は、前記軸線回りに前記回転操作機構と一体回転可能に構成された円筒状の回転体を有しており、
前記被回転検出部が、前記回転体における前記軸線の軸線方向一方側の端部に設けられると共に、前記軸線の軸線方向において、前記第１検出部と対向配置されている請求項２又は請求項３に記載の入力装置。
【請求項５】
前記検出機構は、前記被スライド検出部が設けられたプレートを有しており、
前記プレートが、前記スライド方向において前記スライド操作機構と一体移動可能に連結されており、前記回転操作機構が前記プレートに対して前記軸線回りに相対移動可能に構成されている請求項４に記載の入力装置。
【請求項６】
前記第１検出部がフォトリフレクタとして構成され、
前記被スライド検出部及び前記被回転検出部が前記第１検出部によって照射された光を前記第１検出部へ反射する反射部として構成されており、
前記被スライド検出部及び前記被回転検出部が、前記第１検出部に対して前記軸線の軸線方向他方側に離間して配置されている請求項５に記載の入力装置。
【請求項７】
前記プレートには、前記第１検出部によって照射された光を透過させる透光部が形成されており、
前記プレートの非作動状態において、前記第１検出部、前記透光部、及び前記被回転検出部が、前記軸線の軸線方向において、重なって配置されている請求項６に記載の入力装置。
【請求項８】
前記被回転検出部は、凹凸状に形成されており、
前記回転体が回転することで、前記軸線の軸線方向における前記第１検出部と前記被回転検出部との距離が変化する請求項６又は請求項７に記載の入力装置。
【請求項９】
被操作検出部が、前記プレートに設けられている請求項５〜請求項８の何れか１項に記載の入力装置。
【発明の詳細な説明】
【技術分野】
【０００１】
本発明は、入力装置に関する。
【背景技術】
【０００２】
下記特許文献１には、スライド操作及び回転操作を行うことができる複合型の入力装置が記載されている。この入力装置では、スライド操作を検出するための複数のスライドセンサ（検出部）と、回転操作を検出するための複数の回転センサ（検出部）と、が基板の一面に設けられている。そして、スライドセンサの出力信号に基づいて、スライド操作を検出し、回転センサの出力信号に基づいて、回転操作を検出する。
【先行技術文献】
【特許文献】
【０００３】
【特許文献１】特許５１７８６３８号公報
【発明の概要】
【発明が解決しようとする課題】
【０００４】
しかしながら、上記入力装置では、スライド操作を検出するセンサ（検出部）と、回転操作を検出するためのセンサ（検出部）と、が別々に設けられているため、センサ（検出部）の個数が増加する傾向になる。
【０００５】
本発明は、上記事実を考慮して、操作を検出する検出部の個数を少なくすることができる入力装置を提供する。
【課題を解決するための手段】
【０００６】
形態１：本発明の１又はそれ以上の実施形態は、中立位置からスライド操作されることでスライド方向へスライドするスライド操作機構と、回転操作されることで前記スライド方向と直交する軸線の軸線回りに回転する回転操作機構と、スライド操作及び回転操作を検出する検出機構と、を備え、前記検出機構は、前記スライド操作機構に対するスライド操作時に前記スライド操作機構の位置変化を検出し、前記回転操作機構に対する回転操作時に前記回転操作機構の位置変化を検出する第１検出部と、前記スライド操作及び前記回転操作の何れの操作であるのかを検出する第２検出部と、を含んで構成されている入力装置である。
【０００７】
形態２：本発明の１又はそれ以上の実施形態は、前記検出機構は、前記スライド操作機構に連動してスライドする被スライド検出部と、前記回転操作機構に連動して回転する被回転検出部と、を含んで構成され、前記第１検出部は、前記スライド操作機構に対するスライド操作時に前記被スライド検出部の位置変化を検出し、前記回転操作機構に対する回転操作時に前記被回転検出部の位置変化を検出する入力装置である。
【０００８】
形態３：本発明の１又はそれ以上の実施形態は、前記検出機構は、前記スライド操作機構に連動し且つ前記回転操作機構に非連動に構成された被操作検出部を有しており、前記第２検出部は、前記被操作検出部の位置変化を検出する入力装置である。
【０００９】
形態４：本発明の１又はそれ以上の実施形態は、前記検出機構は、前記軸線回りに前記回転操作機構と一体回転可能に構成された円筒状の回転体を有しており、前記被回転検出部が、前記回転体における前記軸線の軸線方向一方側の端部に設けられると共に、前記軸線の軸線方向において、前記第１検出部と対向配置されている入力装置である。
【００１０】
形態５：本発明の１又はそれ以上の実施形態は、前記検出機構は、前記被スライド検出部が設けられたプレートを有しており、前記プレートが、前記スライド方向において前記スライド操作機構と一体移動可能に連結されており、前記回転操作機構が前記プレートに対して前記軸線回りに相対移動可能に構成されている入力装置である。
【００１１】
形態６：本発明の１又はそれ以上の実施形態は、前記第１検出部がフォトリフレクタとして構成され、前記被スライド検出部及び前記被回転検出部が前記第１検出部によって照射された光を前記第１検出部へ反射する反射部として構成されており、前記被スライド検出部及び前記被回転検出部が、前記第１検出部に対して前記軸線の軸線方向他方側に離間して配置されている入力装置である。
【００１２】
形態７：本発明の１又はそれ以上の実施形態は、前記プレートには、前記第１検出部によって照射された光を透過させる透光部が形成されており、前記プレートの非作動状態において、前記第１検出部、前記透光部、及び前記被回転検出部が、前記軸線の軸線方向において、重なって配置されている入力装置である。
【００１３】
形態８：本発明の１又はそれ以上の実施形態は、前記被回転検出部は、凹凸状に形成されており、前記回転体が回転することで、前記軸線の軸線方向における前記第１検出部と前記被回転検出部との距離が変化する入力装置である。
【００１４】
形態９：本発明の１又はそれ以上の実施形態は、被操作検出部が、前記プレートに設けられている入力装置である。
【発明の効果】
【００１５】
本発明の１又はそれ以上の実施形態によれば、操作を検出する検出部の個数を少なくすることができる。
【図面の簡単な説明】
【００１６】
【図１】図１は、本実施の形態に係る入力装置の検出機構のプレート周辺を示す一部破断した平面図である。
【図２】図２は、本実施の形態に係る入力装置を示す平面図である。
【図３】図３（Ａ）は、図２に示される入力装置を第１方向一方側から見た断面図（図２の３−３線断面図）であり、図３（Ｂ）は、図３（Ａ）に示される状態からスライドノブが第２方向一方側へスライド操作された状態を示す断面図である。
【図４】図４（Ａ）は、図２に示される入力装置を第２方向一方側から見た断面図（図２の４−４線断面図）であり、図４（Ｂ）は、図４（Ａ）に示される状態からスライドノブが第１方向一方側へスライド操作された状態を示す断面図である。
【図５】図５は、図２に示される入力装置の分解斜視図である。
【図６】図６は、図４（Ａ）に示されるプレートの先端部周辺の拡大図であり、図６（Ａ）は、第１検出部とリフレクタリングの凸部とが上下方向に対向配置された状態を示す拡大図であり、図６（Ｂ）は、第１検出部とリフレクタリングの凹部とが上下方向に対向配置された状態を示す拡大図である。
【図７】図７（Ａ）は、図２に示されるスライドノブを第１方向一方側へ操作したときの検出機構におけるプレートの作動状態を示す平面図であり、図７（Ｂ）は、スライドノブを第１方向他方側へ操作したときのプレートの作動状態を示す平面図である。図７（Ｃ）は、スライドノブを第２方向一方側へ操作したときのプレートの作動状態を示す平面図であり、図７（Ｄ）は、スライドノブを第２方向他方側へ操作したときのプレートの作動状態を示す平面図である。
【図８】図８（Ａ）は、図６（Ａ）に示される状態からスライドノブを第１方向一方側へ操作したときのプレートを示す断面図であり、図８（Ｂ）は、図６（Ａ）に示される状態からスライドノブを第１方向他方側へ操作したときのプレートを示す断面図である。
【図９】図９（Ａ）は、図２に示されるロータリーノブアッシーの回転操作前におけるリフレクタリングの凹凸部と第１検出部との対向配置状態を説明するための説明図であり、図９（Ｂ）は、図９（Ａ）の状態からロータリーノブアッシーを回転方向一方側へ１ピッチ回転させたときの凹凸部と第１検出部との対向配置状態を説明するための説明図である。図９（Ｃ）は、図９（Ｂ）の状態からロータリーノブアッシーを回転方向一方側へ１ピッチ回転させたときの凹凸部と第１検出部との対向配置状態を説明するための説明図であり、図９（Ｄ）は、図９（Ｃ）の状態からロータリーノブアッシーを回転方向一方側へ１ピッチ回転されたときの凹凸部と第１検出部との対向配置状態を説明するための説明図である。
【図１０】図１０（Ａ）は、図７に示される各状態の第１検出及び第２検出の出力信号を示す表であり、図１０（Ｂ）は、図９に示される各状態の第１検出及び第２検出の出力信号を示す表である。
【発明を実施するための形態】
【００１７】
以下、図面を用いて、本実施の形態に係る入力装置１０について説明する。図２〜図５に示されるように、入力装置１０は、全体として、略円柱状に形成されている。なお、図面において、適宜示される矢印Ａは、入力装置１０の軸線ＡＬの軸線方向一方側（下側）を示しており、矢印Ｂは、軸線ＡＬの軸線方向他方側（上側）を示している。また、以下の説明では、上側から見た平面視で、軸線ＡＬを通過する仮想基準線を第１基準線Ｌ１（図２参照）とし、軸線ＡＬを通過し且つ第１基準線Ｌ１と直交する仮想基準線を第２基準線Ｌ２（図２参照）としている。さらに、第１基準線Ｌ１の延在方向（図２の矢印Ｃ及び矢印Ｄ方向）を第１方向とし、第２基準線Ｌ２の延在方向（図２の矢印Ｅ及び矢印Ｆ方向）を第２方向としており、第１方向及び第２方向が、本願の「スライド方向」に対応している。
【００１８】
入力装置１０は、入力装置１０の下側部分の外郭を構成する、ケース１２及びリッド２０を有している。このケース１２内には、基板３０、「回転操作機構」としてのロータリーノブアッシー４０、スライド機構５０、及びスライド操作機構６０が、収容されている。そして、ロータリーノブアッシー４０及びスライド操作機構６０の一部が、操作可能にケース１２から上側に露出されている。さらに、入力装置１０は、ロータリーノブアッシー４０及びスライド操作機構６０に対する操作を検出するための検出機構９０を有している。以下、入力装置１０の各構成について説明する。
【００１９】
（ケース１２について）
ケース１２は、上下方向を軸方向とした略円筒状に形成されて、軸線ＡＬと同軸上に配置されている。ケース１２の上端部における直径寸法は、他の部分に比べて小さく設定されている。このため、ケース１２の上端部が、ケース１２の径方向内側へ張り出されている。
【００２０】
（リッド２０について）
リッド２０は、上下方向を板厚方向とした略円板状に形成されている。このリッド２０の外周部には、上方側へ突出されたリブ２０Ａが一体に形成されており、リブ２０Ａは、リッド２０の周方向全周に亘って形成されている。そして、リブ２０Ａが、下側からケース１２の開口部内に嵌入されて、リッド２０がケース１２に固定されている。これにより、ケース１２の下端部が、リッド２０によって閉塞されている。
【００２１】
リッド２０の略中央部には、上側へ隆起された隆起部２２が形成されており、隆起部２２は、下側へ開放された有底円筒状に形成されている。隆起部２２の上壁における中央部には、後述するピン６４を支持するための支持凹部２２Ａが形成されており、支持凹部２２Ａは、軸線ＡＬと同軸上に配置されている。この支持凹部２２Ａは、上側へ開放された凹状に形成されており、支持凹部２２Ａの内周面が、球面状の凹面によって構成されている。また、支持凹部２２Ａの径方向外側には、４箇所の傾斜凹部２２Ｂが形成されている。傾斜凹部２２Ｂは、支持凹部２２Ａの周方向に等間隔に配置されている。具体的には、平面視で、２箇所の傾斜凹部２２Ｂが、第１基準線Ｌ１に沿って配置されており、他の２箇所の傾斜凹部２２Ｂが、第２基準線Ｌ２に沿って配置されている。また、傾斜凹部２２Ｂは、支持凹部２２Ａの径方向から見て、上側へ開放された略半円状に形成されており、傾斜凹部２２Ｂの深さが、支持凹部２２Ａ側へ向かうに従い深くなるように、傾斜凹部２２Ｂが傾斜されている。
【００２２】
また、リッド２０には、後述する基板３０を固定するための複数（本実施の形態では、３箇所）の固定ボス２０Ｂが形成されている。固定ボス２０Ｂは、上下方向を軸方向とした略円筒状に形成されて、リッド２０から上側へ突出されると共に、隆起部２２の径方向外側において所定の位置に配置されている。
【００２３】
（基板３０について）
基板３０は、上下方向を板厚方向とし、中央部に孔部３０Ａを有する略円環板状に形成されている。基板３０は、リッド２０のリブ２０Ａの上側に載置されて、後述するホルダ５２と共にネジＳＣ１によってリッド２０の固定ボス２０Ｂに固定されている。なお、基板３０の固定状態では、リッド２０の隆起部２２が、基板３０の孔部３０Ａ内に配置されて、基板３０が隆起部２２の径方向外側に配置されている。
【００２４】
図１に示されるように、基板３０の上面には、後述するスライド操作機構６０及びロータリーノブアッシー４０の位置変化を検出するための一対の第１検出部３２Ａ，３２Ｂが設けられている（実装されている）。一対の第１検出部３２Ａ，３２Ｂは、基板３０の径方向中間部において、基板３０の周方向に９０度離間して配置されている。具体的には、一方の第１検出部３２Ａが、リッド２０の隆起部２２に対して第１方向他方側に配置されると共に、平面視で第１基準線Ｌ１と一致した位置に配置されている。一方、他方の第１検出部３２Ｂは、隆起部２２に対して第２方向他方側に配置されと共に、平面視で第２基準線Ｌ２と一致した位置に配置されている。
【００２５】
また、基板３０の上面には、後述するスライド操作機構６０及びロータリーノブアッシー４０の何れの操作であるのかを検出するための第２検出部３４が設けられている（実装されている）。第２検出部３４は、基板３０の内周部において、一方の第１検出部３２Ａに対して第１方向一方側に配置されている。
【００２６】
図６にも示されるように、第１検出部３２Ａ，３２Ｂ及び第２検出部３４は、フォトリフレクタとして構成されている。すなわち、第１検出部３２Ａ，３２Ｂ及び第２検出部３４は、発光部及び受光部を有しており、発光部が、光を上側（具体的には、後述する検出機構９０側）へ照射して、受光部が、検出機構９０によって下側へ反射された光を受光するようになっている。
【００２７】
また、第１検出部３２Ａ，３２Ｂ及び第２検出部３４には、制御部３６（図５参照）が電気的に接続されている。そして、第１検出部３２Ａ，３２Ｂ及び第２検出部３４が、受光部によって受光した光に基づいて、制御部３６へ出力信号（オン信号又はオフ信号）を出力して、制御部３６が、第１検出部３２Ａ，３２Ｂ及び第２検出部３４からの出力信号に基づいて、スライド操作機構６０及びロータリーノブアッシー４０の操作を検知する構成になっている。
【００２８】
（ロータリーノブアッシー４０について）
図２〜図５に示されるように、ロータリーノブアッシー４０は、全体として上下方向を軸方向とした略円筒状に形成されている。そして、ロータリーノブアッシー４０は、軸線ＡＬと同軸上に配置されて、ロータリーノブアッシー４０の下側部分がケース１２内に回転可能に収容されている。また、ロータリーノブアッシー４０は、後述するホルダ５２によって、軸線ＡＬ回りに回転可能に支持されている。
【００２９】
ロータリーノブアッシー４０は、軟質の樹脂材（例えば、エラストマ）によって構成された軟質部４２と、硬質の樹脂材（例えば、ＡＢＳ樹脂）によって構成された硬質部４４と、によって構成され、２色成形等の手法によって製作されている。具体的には、ロータリーノブアッシー４０は、硬質部４４を主要部として構成されており、硬質部４４の上端部に軟質部４２が一体に形成されている（図３及び図４参照）。また、軟質部４２は、ロータリーノブアッシー４０の上端外周部において、複数の把持部４０Ａを有している。この複数の把持部４０Ａは、ロータリーノブアッシー４０の径方向外側へ突出し且つ周方向に延在されると共に、ロータリーノブアッシー４０の周方向に所定間隔毎に並んで配置されている。
【００３０】
また、ロータリーノブアッシー４０の外周部における上下方向中間部には、複数（本実施の形態では、４箇所）の保持爪４０Ｂが一体に形成されている。複数の保持爪４０Ｂは、ロータリーノブアッシー４０の周方向に９０度毎に離間して配置されている。また、保持爪４０Ｂは、上端部をロータリーノブアッシー４０に接続した略矩形板状に形成されると共に、ロータリーノブアッシー４０の径方向に弾性変形可能に構成されている。さらに、保持爪４０Ｂの下端部には、ロータリーノブアッシー４０の径方向内側へ突出された保持爪部４０Ｂ１が一体に形成されている。
【００３１】
ロータリーノブアッシー４０の内周面には、複数の保持爪４０Ｂの上側で且つ複数の保持爪４０Ｂの間の位置において、保持突起４０Ｃが形成されている（すなわち、４箇所の保持突起４０Ｃが形成されている）。保持突起４０Ｃは、ロータリーノブアッシー４０の周方向に延在されたリブ状に形成されている。
【００３２】
ロータリーノブアッシー４０の内周面には、保持突起４０Ｃの上側において、複数（本実施の形態では、２０箇所）の節度山４０Ｄが一体に形成されている。複数の節度山４０Ｄは、ロータリーノブアッシー４０の周方向に並んで配置されると共に、ロータリーノブアッシー４０の周方向全周亘って形成されている。また、節度山４０Ｄは、平面視で、ロータリーノブアッシー４０の径方向内側へ凸となる略円弧状に湾曲している。
【００３３】
（スライド機構５０について）
スライド機構５０は、後述するスライド操作機構６０を第１方向及び第２方向へスライド（移動）可能に保持する機構として構成されている。このスライド機構５０は、ホルダ５２と、スライダ５４と、を含んで構成されて、ロータリーノブアッシー４０の内部に収容されている。
【００３４】
＜ホルダ５２について＞
ホルダ５２は、下側へ開放された略有底円筒状に形成されている。ホルダ５２は、基板３０の上側に隣接して配置されており、ホルダ５２の下端部が、ネジＳＣ１によって基板３０と共にリッド２０の固定ボス２０Ｂに固定されている。ホルダ５２の外周部における上端部には、径方向外側へ若干張り出された固定鍔５２Ａが一体に形成されており、固定鍔５２Ａは、ホルダ５２の周方向全周に亘って形成されている。そして、固定鍔５２Ａが、ロータリーノブアッシー４０の保持爪部４０Ｂ１と保持突起４０Ｃとによって上下に挟み込まれて、ロータリーノブアッシー４０がホルダ５２に保持されている。具体的には、ホルダ５２をロータリーノブアッシー４０内に下側から挿入し、ロータリーノブアッシー４０の保持爪４０Ｂが、固定鍔５２Ａによって押圧されて、径方向外側へ弾性変形する。これにより、固定鍔５２Ａが、保持爪部４０Ｂ１と保持突起４０Ｃとの間に配置されて、ロータリーノブアッシー４０がホルダ５２に組付けられている。また、ロータリーノブアッシー４０がホルダ５２に組付けられた状態では、ロータリーノブアッシー４０がホルダ５２に相対回転可能に組付けられている。これにより、ロータリーノブアッシー４０がホルダ５２に回転可能に支持されている。
【００３５】
ホルダ５２の上壁の上面には、収容部５２Ｂが形成されている。この収容部５２Ｂは、上側へ開放された凹状を成すと共に、平面視で第２方向を長手方向とする略トラック形状に形成されている。収容部５２Ｂの略中央部には、第２方向を長手方向とする略矩形状の挿通孔５２Ｃが貫通形成されている。挿通孔５２Ｃは、長手方向中間部において、第１方向一方側及び他方側へ延出されたスリット状の第１スリット孔５２Ｃ１を有している。また、挿通孔５２Ｃは、第２方向他方側端部において、第１方向一方側及び他方側へ延出されたスリット状の第２スリット孔５２Ｃ２を有している。
【００３６】
また、収容部５２Ｂの第２方向一方側の端部には、支持柱５２Ｄが形成されている。支持柱５２Ｄは、略矩形柱状に形成されて、収容部５２Ｂから上方側へ突出されている。また、支持柱５２Ｄには、収容凹部５２Ｄ１が形成されており、収容凹部５２Ｄ１は、第２方向一方側へ開放された凹状に形成されると共に、第２方向一方側から見て略矩形状に形成されている。そして、収容凹部５２Ｄ１には、節度機構５６（図３参照）が収容されている。
【００３７】
ここで、節度機構５６について説明する。図３に示されるように、節度機構５６は、節度部材５７と、圧縮コイルスプリングとして構成された付勢バネ５８と、を含んで構成されている。節度部材５７は、第２方向に延在された略矩形柱状に形成されて、第２方向（すなわち、ロータリーノブアッシー４０の径方向）において相対移動可能に収容凹部５２Ｄ１内に収容されている。付勢バネ５８は、収容凹部５２Ｄ１内に収容されて、収容凹部５２Ｄ１の底部と節度部材５７との間に配置されている。これにより、付勢バネ５８の付勢力によって節度部材５７が第２方向一方側（ロータリーノブアッシー４０の径方向外側）へ付勢されている。また、節度部材５７の第２方向一方側の端部には、略半球状の節度部５７Ａが一体に形成されており、節度部５７Ａが、ロータリーノブアッシー４０において周方向に隣り合う節度山４０Ｄの間に配置されている。これにより、ロータリーノブアッシー４０が回転操作されるときには、節度部５７Ａが、節度山４０Ｄを乗り越えることで、操作者に節度感（クリック感）が付与される構成になっている。また、上述のように、ロータリーノブアッシー４０には、２０箇所の節度山４０Ｄが形成されている。このため、本実施の形態では、節度部５７Ａが１つの節度山４０Ｄを乗り越えたときには、ロータリーノブアッシー４０が、１８度回転される設定になっている。すなわち、本実施の形態では、ロータリーノブアッシー４０の回転ピッチが１８度に設定されている。
【００３８】
ホルダ５２の説明に戻って、図３〜図５に示されるように、収容部５２Ｂの第２方向他方側の端部には、支持柱５２Ｅが形成されている。支持柱５２Ｅは、略矩形筒状に形成されて、収容部５２Ｂから上方側へ突出されている。また、ホルダ５２の下端部には、後述する検出機構９０のプレート９２を配置するための切欠部５２Ｆが形成されており、切欠部５２Ｆは、下側へ開放された凹状に形成されている。
【００３９】
＜スライダ５４について＞
スライダ５４は、下側へ開放された略有底筒状に形成されて、ホルダ５２の収容部５２Ｂの上側に配置されている。スライダ５４の下端部には、第１方向一方側及び他方側の部分において、第２方向に並ぶ一対のガイド部５４Ａがそれぞれ形成されている。一対のガイド部５４Ａは、上下方向を板厚方向とした略矩形板状に形成されて、スライダ５４から第１方向一方側及び他方側へそれぞれ突出されている。そして、一対のガイド部５４Ａが、ホルダ５２に対して第２方向へスライド可能に、ホルダ５２の収容部５２Ｂ内に収容されている。また、ガイド部５４Ａの収容部５２Ｂへの収容状態では、ガイド部５４Ａの先端部が収容部５２Ｂの内周面に当接することで、ガイド部５４Ａ（すなわちスライダ５４）の第１方向への移動が制限されている。
【００４０】
スライダ５４の上壁には、中央部において、挿通孔５４Ｂが貫通形成されている。挿通孔５４Ｂは、平面視で第１方向を長手方向とする略トラック形状に形成されている。さらに、スライダ５４の第２方向一方側及び他方側の部分には、一対のガイド凹部５４Ｃ，５４Ｄが形成されている。一方のガイド凹部５４Ｃは、第２方向一方側へ開放された凹状に形成されており、他方のガイド凹部５４Ｄは、第２方向他方側へ開放された凹状に形成されている。そして、一方のガイド凹部５４Ｃ内にホルダ５２の支持柱５２Ｄが、第２方向に相対移動可能に挿入され、他方のガイド凹部５４Ｄ内にホルダ５２の支持柱５２Ｅが、第２方向に相対移動可能に挿入されている。これにより、スライダ５４が第２方向へスライド可能にホルダ５２によって保持されており、スライダ５４が第２方向へのスライドを、ガイド凹部５４Ｃ，５４Ｄによってガイドする構成になっている。
【００４１】
さらに、スライダ５４の上端部には、後述するノブベース６８をガイドするための一対のガイドレール５４Ｅが一体に形成されている。このガイドレール５４Ｅは、スライダ５４から第１方向一方側及び他方側へ突出されると共に、第１方向から見て、上方側へ開放された略Ｕ字形状に形成されている。すなわち、ガイドレール５４Ｅの幅方向中央部には、上側へ開放されたガイド溝５４Ｆが形成されており、ガイド溝５４Ｆが、平面視で、第１基準線Ｌ１に沿って延在されている。
【００４２】
（スライド操作機構６０について）
スライド操作機構６０は、操作者によってスライド操作されるスライドノブ８０（広義には、「操作体」として把握される要素である）と、スライドノブ８０の操作時に、後述する検出機構９０のプレート９２をスライドノブ８０と一体に移動させるための移動機構６１と、を含んで構成されている。また、移動機構６１は、シャフト６２と、ピン６４と、付勢バネ６６と、ノブベース６８と、を含んで構成されている。以下、先に移動機構６１の構成を説明し、次いで、スライドノブ８０の構成について説明する。
【００４３】
＜シャフト６２について＞
シャフト６２は、上下方向を板厚方向とした板状のシャフトベース６２Ａを有しており、シャフトベース６２Ａは、平面視で略正八角形状に形成されている。シャフトベース６２Ａは、ホルダ５２の内部に収容されると共に、ホルダ５２の上壁の下側に隣接して配置されている。
【００４４】
シャフトベース６２Ａには、一対のストッパ片６２Ｂが一体に形成されている。ストッパ片６２Ｂは、シャフトベース６２Ａの中央部に対して、第２方向一方側及び他方側にそれぞれ配置されており、シャフトベース６２Ａから上側へ突出されている。また、ストッパ片６２Ｂは、第２方向を板厚方向とする略Ｔ字形板状に形成されている。具体的には、ストッパ片６２Ｂは、シャフトベース６２Ａから上側へ延出された基部６２Ｂ１と、基部６２Ｂ１の上端部から第１方向一方側及び他方側へ延出されたストッパ部６２Ｂ２と、を含んで構成されている。そして、一対のストッパ部６２Ｂ２が、ホルダ５２の収容部５２Ｂの上側に配置されて、シャフト６２がホルダ５２に組付けられている。これにより、ストッパ部６２Ｂ２とシャフトベース６２Ａとの間に、ホルダ５２の収容部５２Ｂが配置されて、シャフト６２のホルダ５２に対する上下移動が制限されている。
【００４５】
なお、シャフト６２をホルダ５２へ組付けるときには、一対のストッパ部６２Ｂ２における第２方向一方側のストッパ部６２Ｂ２をホルダ５２の第１スリット孔５２Ｃ１内に下側から挿入し、第２方向他方側のストッパ部６２Ｂ２を第２スリット孔５２Ｃ２内に下側から挿入する。次いで、シャフト６２を第２方向一方側へホルダ５２に対してスライドさせる。これにより、ストッパ部６２Ｂ２が収容部５２Ｂの上側に配置されて、シャフト６２がホルダ５２に組付けられている。なお、シャフト６２のホルダ５２への組付状態では、ストッパ片６２Ｂの基部６２Ｂ１がホルダ５２の挿通孔５２Ｃの内周面から離間されて、シャフト６２の第１方向及び第２方向への移動が許容される構成になっている。
【００４６】
また、シャフト６２は、上下方向を軸方向とした略矩形筒状のシャフト本体６２Ｃを有している。シャフト本体６２Ｃは、シャフトベース６２Ａの中央部から上側且つ下側へ突出されると共に、軸線ＡＬと同軸上に配置されている。また、シャフト本体６２Ｃの上部は、ホルダ５２の挿通孔５２Ｃ及びスライダ５４の挿通孔５４Ｂ内を挿通しており、シャフト本体６２Ｃの上端部が、スライダ５４に対して上側へ突出されている。
【００４７】
そして、シャフト本体６２Ｃの下部を、操作軸６２Ｄとしており、操作軸６２Ｄの中央部には、ピン収容部６２Ｅが形成されている。ピン収容部６２Ｅは、断面円形状を成す下側へ開放された凹状に形成されている。また、ピン収容部６２Ｅは、ピン収容部６２Ｅの下部を構成する第１ピン収容部６２Ｅ１と、ピン収容部６２Ｅの上部を構成する第２ピン収容部６２Ｅ２と、を有しており、第２ピン収容部６２Ｅ２の径寸法が、第１ピン収容部６２Ｅ１の径寸法よりも小さく設定されている。すなわち、ピン収容部６２Ｅの内周面には、上下方向中間部において、段差部が形成されている。一方、シャフト本体６２Ｃの上部における中央部には、断面円形状の固定凹部６２Ｆが形成されており、固定凹部６２Ｆは上側へ開放されている。
【００４８】
＜ピン６４について＞
ピン６４は、上下方向を軸方向としたシャフト状に形成されており、ピン６４の直径寸法が、第２ピン収容部６２Ｅ２の内径寸法よりも僅かに小さく設定されている。そして、ピン６４が、シャフト６２のピン収容部６２Ｅ内に相対移動可能に収容されている。具体的には、ピン６４の上端側の部分が、第２ピン収容部６２Ｅ２内に収容されている。
【００４９】
ピン６４の下端側の部分には、径方向外側へ張り出された鍔部６４Ａが一体に形成されている。鍔部６４Ａは、ピン６４の軸方向から見て、円形状に形成されており、鍔部６４Ａの直径寸法が、第１ピン収容部６２Ｅ１の内径寸法よりも僅かに小さく設定されている。そして、鍔部６４Ａが、第１ピン収容部６２Ｅ１の下端部内に配置されている（図３及び図４参照）。また、ピン収容部６２Ｅ内への収容状態では、ピン６４の下端部が、操作軸６２Ｄに対して下側へ突出されて、リッド２０の支持凹部２２Ａによって支持されている。さらに、ピン６４の下端部は、支持凹部２２Ａに対応する略半球状に形成されている。
【００５０】
＜付勢バネ６６について＞
付勢バネ６６は、圧縮コイルスプリングとして構成されている。そして、付勢バネ６６が、ピン６４の鍔部６４Ａよりも上側の部分に装着されて、ピン６４と共にピン収容部６２Ｅ内に収容されている。具体的には、付勢バネ６６の上端部が、ピン収容部６２Ｅの段差部に係止されて、付勢バネ６６の下端部が、ピン６４の鍔部６４Ａに係止されている。さらに、付勢バネ６６のピン収容部６２Ｅ内への収容状態では、付勢バネ６６が圧縮変形している。このため、ピン６４が、付勢バネ６６の付勢力によって、下側へ付勢されて、ピン６４の下端部が、支持凹部２２Ａに圧接されている。
【００５１】
＜ノブベース６８について＞
ノブベース６８は、全体として上側へ開放された略有底円筒状に形成されている。ノブベース６８は、入力装置１０の軸線ＡＬと同軸上に配置されると共に、シャフト本体６２Ｃの上側に隣接して配置されている。ノブベース６８の底壁部における中央部には、固定孔６８Ａが貫通形成されている。そして、固定孔６８Ａ内にネジＳＣ２が挿入されて、ネジＳＣ２がシャフト６２の固定凹部６２Ｆに螺合されることで、ノブベース６８がシャフト６２に固定されている。これにより、移動機構６１の全体が、一体移動可能に構成されている。
【００５２】
また、ノブベース６８の底壁には、下側へ突出されたガイド片６８Ｂ（図４参照）が一体に形成されている。このガイド片６８Ｂは、第２方向を板厚方向とした板状に形成されると共に、平面視で第１基準線Ｌ１に沿って延在している。そして、ガイド片６８Ｂが、前述したスライダ５４のガイド溝５４Ｆ内に、第１方向にスライド可能に挿入されている。これにより、ノブベース６８（移動機構６１）が、スライダ５４のガイド溝５４Ｆによってガイドされながら、スライダ５４に対して第１方向へ移動する構成になっている。一方、ノブベース６８（移動機構６１）が、第２方向へ移動するときには、ノブベース６８のガイド片６８Ｂがスライダ５４のガイド溝５４Ｆに係合して、ノブベース６８（移動機構６１）が、スライダ５４と共に、ホルダ５２に対して第２方向へ移動する構成になっている。
【００５３】
また、ノブベース６８の外周縁部には、４箇所のガイドレール６８Ｃが一体に形成されている。ガイドレール６８Ｃは、ノブベース６８の底壁部から上側へ突出された柱状に形成されると共に、ノブベース６８の周方向に９０度毎に離間して配置されている。具体的には、平面視で、２箇所のガイドレール６８Ｃが、第１基準線Ｌ１に沿って並んで配置されており、他の２箇所のガイドレール６８Ｃが、第２基準線Ｌ２に沿って並んで配置されている。また、ガイドレール６８Ｃは、平面視で、ノブベース６８の径方向外側へ開放された略Ｕ字形状に形成されている。これにより、ガイドレール６８Ｃの幅方向中央部には、ノブベース６８の径方向外側へ開放され且つ上下方向に延在されたガイド溝６８Ｄが形成されている。なお、ガイド溝６８Ｄの下端部は、ノブベース６８の底壁によって閉塞されている。
【００５４】
さらに、ノブベース６８の外周縁部には、３箇所の係合片６８Ｅが一体に形成されており、係合片６８Ｅは、ノブベース６８の底壁部から上側へ突出されると共に、ノブベース６８の周方向に１２０度毎に離間して配置されている。この係合片６８Ｅは、ノブベース６８の径方向を板厚方向とした略矩形板状に形成されると共に、平面視でノブベース６８の周方向に沿って湾曲されている。また、係合片６８Ｅの幅方向中央には、係合孔６８Ｅ１が貫通形成されている。
【００５５】
さらに、ノブベース６８の上側には、基板７０が、配置されている。この基板７０は、板厚方向を上下方向とした略円板状に形成されて、ノブベース６８に固定されている。基板３０の上面には、中央部において、スイッチ７２が設けられており、スイッチ７２はプッシュスイッチとして構成されている。また、基板７０は、接続部材７４（フレキシブルケーブル）によって基板３０に接続されており、スイッチ７２が制御部３６と電気的に接続されている。
【００５６】
（スライドノブ８０について）
スライドノブ８０は、上下方向を板厚方向とした略円盤状に形成されて、ノブベース６８の上側において軸線ＡＬと同軸上に配置されている。スライドノブ８０の下面には、ノブベース６８のガイドレール６８Ｃに対応した４箇所のガイド部８０Ａ（図３及び図４参照）が一体に形成されており、ガイド部８０Ａは、スライドノブ８０の下側へ突出されると共に、ガイドレール６８Ｃ内に上下方向に相対移動可能に挿入されている。これにより、スライドノブ８０が、ノブベース６８に対して上下方向に相対移動可能に連結されている。
【００５７】
そして、スライドノブ８０のノブベース６８への連結状態では、ノブベース６８が、スライドノブ８０と共に、第１方向及び第２方向へ一体的に移動するように構成されている。すなわち、スライドノブ８０が第１方向及び第２方向へ操作されたときには、スライドノブ８０のガイド部８０Ａがノブベース６８のガイドレール６８Ｃに係合して、ノブベース６８（移動機構６１）がスライドノブ８０と一体に第１方向及び第２方向へ移動する構成になっている。よって、スライド操作機構６０の全体が第１方向及び第２方向へスライド可能に構成されている。なお、スライドノブ８０のノブベース６８への連結状態では、ガイド部８０Ａが、ノブベース６８の底壁に当接することで、スライドノブ８０の下側への移動が制限される構成になっている。
【００５８】
また、スライドノブ８０の中央部には、スイッチ７２と上下方向に対向するボス８０Ｂ（図３及び図４参照）が形成されている。これにより、スライドノブ８０が下方側へプッシュ操作されたときには、ボス８０Ｂがスイッチ７２を押圧して、スライドノブ８０のプッシュ操作がスイッチ７２によって検出される構成になっている。
【００５９】
なお、スライドノブ８０には、ノブベース６８の係合片６８Ｅに対応する３箇所の係合爪（図示省略）が設けられており、係合爪は、係合片６８Ｅの係合孔６８Ｅ１内に上下方向に相対移動可能に挿入されている。これにより、係合爪が、係合孔６８Ｅ１の上側の縁部に係合することで、スライドノブ８０の上方側への移動が制限されている。
【００６０】
また、スライドノブ８０の上側には、上下方向を厚み方向とし、且つ略円板状に形成されたタッチパッド８２が載置されている。タッチパッド８２は、両面テープなどの接着部材によって、スライドノブ８０に固定されている。
【００６１】
また、スライドノブ８０の外周部には、略リング状のノブリング８４が固定されており、ノブリング８４とスライドノブ８０によってタッチパッド８２が上下方向に挟持されている。このノブリング８４は、複数（本実施の形態では、３箇所）の固定片８４Ａを有しており、固定片８４Ａは、ノブリング８４の周方向に１２０度毎に離間して配置されている。そして、固定片８４Ａが、スライドノブ８０の、図示しない固定爪に係合して、ノブリング８４がスライドノブ８０に固定されている。
【００６２】
（検出機構９０について）
図１、図３〜図５に示されるように、検出機構９０は、プレート９２と、「回転体」としてのリフレクタリング１００と、を含んで構成されている。
【００６３】
＜プレート９２について＞
プレート９２は、黒色の樹脂材で構成されると共に、平面視で、上下方向を板厚方向とした略逆Ｌ字形板状に形成されている。具体的には、プレート９２は、第１方向に延在された第１プレート部９２Ａと、第１プレート部９２Ａの基端部（第１方向一方側の端部）から第２方向他方側へ延出された第２プレート部９２Ｂと、を含んで構成されている。第１プレート部９２Ａの基端部には、略矩形状を成す嵌合孔９２Ｃが貫通形成されている。そして、前述したシャフト６２の操作軸６２Ｄが嵌合孔９２Ｃ内に嵌入されている。これにより、プレート９２が、基板３０の上側において、スライド操作機構６０と一体に第１方向及び第２方向にスライド可能に構成されている。なお、ロータリーノブアッシー４０は、スライド操作機構６０のホルダ５２に相対移動可能に支持されているため、ロータリーノブアッシー４０が、プレート９２に対して相対移動可能に構成されている。すなわち、ロータリーノブアッシー４０の回転時には、プレート９２に回転力が付与されず、プレート９２の位置が維持される構成になっている。
【００６４】
また、第１プレート部９２Ａ及び第２プレート部９２Ｂの長手方向中間部には、下側へ略クランク状に屈曲された段差部がそれぞれ形成されており、第１プレート部９２Ａ及び第２プレート部９２Ｂの各々の先端部が、第１プレート部９２Ａ及び第２プレート部９２Ｂの各々の基端部に対して下側に配置されている。具体的には、第１プレート部９２Ａの先端部が、一方の第１検出部３２Ａの上側に近接して配置されており、第２プレート部９２Ｂの先端部が、他方の第１検出部３２Ｂの上側に近接して配置されている。
【００６５】
図６にも示されるように、第１プレート部９２Ａ及び第２プレート部９２Ｂのそれぞれの先端部における下面には、「被スライド検出部」及び「反射部」としての第１反射板９４Ａ，９４Ｂが設けられている。第１反射板９４Ａ，９４Ｂは、平面視で、上下方向を板厚方向とした略Ｌ字形板状に形成されており、第１反射板９４Ａの上面が第１プレート部９２Ａの下面に固定され、第１反射板９４Ｂの上面が第２プレート部９２Ｂの下面に固定されている。
【００６６】
そして、スライド操作機構６０の非作動状態（図３（Ａ）及び図４（Ａ）に示される状態であり、以下、スライド操作機構６０における、この位置を「中立位置」と称し、プレート９２における、この位置を「初期位置」と称する）では、平面視で第１反射板９４Ａが、一方の第１検出部３２Ａの第１方向他方側及び第２方向一方側に隣接して配置されている。すなわち、スライド操作機構６０の中立位置では、上下方向において、第１反射板９４Ａと第１検出部３２Ａとが対向配置しないように、第１反射板９４Ａが第１検出部３２Ａに対してずれて配置されている（図１参照）。そして、スライド操作機構６０が第１方向一方側又は第２方向他方側へスライド操作されたときには、上下方向において、第１反射板９４Ａと第１検出部３２Ａとが対向配置する設定になっている。これにより、第１検出部３２Ａによって上側へ照射された光が、第１反射板９４Ａによって下側に反射して、第１検出部３２Ａが、反射光を受光して、制御部３６にオン信号を出力する構成になっている。
【００６７】
また、スライド操作機構６０の中立位置では、平面視で第１反射板９４Ｂが、他方の第１検出部３２Ｂの第１方向他方側及び第２方向他方側に隣接して配置されている。すなわち、スライド操作機構６０の中立位置では、上下方向において、第１反射板９４Ｂと第１検出部３２Ｂとが対向配置しないように、第１反射板９４Ｂが第１検出部３２Ｂに対してずれて配置されている（図１参照）。そして、スライド操作機構６０が第１方向一方側又は第２方向一方側へスライド操作されたときには、上下方向において、第１反射板９４Ｂと第１検出部３２Ｂとが対向配置する設定になっている。これにより、第１検出部３２Ｂによって上側へ照射された光が、第１反射板９４Ｂによって下側に反射して、第１検出部３２Ｂが、反射光を受光して、制御部３６にオン信号を出力する構成になっている。
【００６８】
さらに、第１プレート部９２Ａの先端部における下面には、第１反射板９４Ａに対して第１方向一方側の位置において、「被操作検出部」としての第２反射板９６（広義には、「反射部」として把握される要素である）が設けられている。第２反射板９６は、平面視で、上下方向を板厚方向とした略矩形板状に形成されており、第２反射板９６の上面が第１プレート部９２Ａの下面に固定されている。
【００６９】
そして、スライド操作機構６０の中立位置では、平面視で、第２反射板９６が第２検出部３４と重なって配置されている。すなわち、スライド操作機構６０の中立位置では、上下方向において、第２反射板９６と第２検出部３４とが対向配置されている（図１及び図６参照）。これにより、スライド操作機構６０の中立位置において、第２検出部３４によって上側へ照射された光が、第２反射板９６によって下側に反射して、第２検出部３４が、反射光を受光して、制御部３６にオン信号を出力する構成になっている。そして、スライド操作機構６０が第１方向又は第２方向へスライド操作されたときには、上下方向において、第２反射板９６と第２検出部３４との対向配置状態が解除されて、第２検出部３４が第１プレート部９２Ａと対向配置される設定になっている。よって、この場合には、第２検出部３４によって上側へ照射された光が、第１プレート部９２Ａによって反射されず、第２検出部３４が、制御部３６にオフ信号を出力する構成になっている。
【００７０】
また、第１プレート部９２Ａ及び第２プレート部９２Ｂのそれぞれの先端部には、「透光部」としてのレンズ９８Ａ，９８Ｂが設けられている。このレンズ９８Ａ，９８Ｂは、透光性を有する透明の樹脂材等によって構成されて、プレート９２と一体に形成されている。そして、スライド操作機構６０の中立位置において、平面視で、第１プレート部９２Ａのレンズ９８Ａが第１検出部３２Ａと重なって配置され、第２プレート部９２Ｂのレンズ９８Ｂが第１検出部３２Ｂと重なって配置されている。これにより、スライド操作機構６０の中立位置において、第１検出部３２Ａ（３２Ｂ）によって上側へ照射された光が、レンズ９８Ａ（９８Ｂ）を通過してプレート９２の上側を照射するようになっている（図６にて、第１検出部３２Ａから上側へ向かう矢印参照）。
【００７１】
＜リフレクタリング１００について＞
リフレクタリング１００は、上下方向を軸方向とした略円筒状に形成されて、軸線ＡＬと同軸上に配置されている。リフレクタリング１００の上端部には、複数（本実施の形態では４箇所）嵌合片１００Ａが一体に形成されている。嵌合片１００Ａは、リフレクタリング１００の径方向を板厚方向とした略矩形板状に形成されて、リフレクタリング１００から上側へ突出されている。また、嵌合片１００Ａは、リフレクタリング１００の周方向に沿って湾曲しており、リフレクタリング１００の周方向に９０度毎に配置されている。そして、前述したロータリーノブアッシー４０の下端部が嵌合片１００Ａの内側に嵌入されて、リフレクタリング１００がロータリーノブアッシー４０に一体回転可能に連結されている。また、リフレクタリング１００がロータリーノブアッシー４０に連結された状態では、リフレクタリング１００が、プレート９２（第１プレート部９２Ａ及び第２プレート部９２Ｂの先端部）の上側に配置されている。
【００７２】
また、リフレクタリング１００の下端部（軸方向一方側の端部）には、「被回転検出部」及び「反射部」としての凹凸部１０２が形成されている。この凹凸部１０２は、下側へ開放された５箇所の凹部１０２Ａと、凹部１０２Ａに対して下側へ突出した５箇所の凸部１０２Ｂと、を含んで構成されており、凹部１０２Ａと凸部１０２Ｂとが、リフレクタリング１００の周方向において交互に等間隔に配置されている。具体的には、凹部１０２Ａと凸部１０２Ｂとが、リフレクタリング１００の周方向において、３６度毎に配置されている。また、凹凸部１０２は、プレート９２のレンズ９８Ａ，９８Ｂの真上に配置されている。すなわち、スライド操作機構６０の中立位置では、平面視で、凹凸部１０２が、レンズ９８Ａ，９８Ｂ及び第１検出部３２Ａ，３２Ｂと重なって配置されている（図６（Ａ）及び（Ｂ）参照）。
【００７３】
また、リフレクタリング１００は、白色の樹脂材によって構成されている。さらに、上述のように、凹凸部１０２は、凹部１０２Ａと凸部１０２Ｂとによって構成されている。これにより、リフレクタリング１００が回転することで、凹凸部１０２と第１検出部３２Ａ，３２Ｂとの間の上下距離が変化する。そして、第１検出部３２Ａ，３２Ｂによって照射され且つレンズ９８Ａ，９８Ｂを透過した光は、凸部１０２Ｂによって下側へ反射して、第１検出部３２Ａ，３２Ｂに再度到達するようになっている（図６（Ａ）にて、凸部１０２Ｂから下側へ向かう矢印参照）。このため、第１検出部３２Ａ，３２Ｂが凸部１０２Ｂによって反射した光を受光して、第１検出部３２Ａ，３２Ｂがオン信号を出力する構成になっている。一方、レンズ９８Ａ，９８Ｂを透過し且つ凹部１０２Ａに到達した光は、光量が減少しているため、凹部１０２Ａによって反射された光の光量も減少する。このため、第１検出部３２Ａ，３２Ｂと凹部１０２Ａとが上下方向に対向配置されたときには、第１検出部３２Ａ，３２Ｂがオフ信号を出力する構成になっている。なお、凸部１０２Ｂにおける反射率を高くするために、リフレクタリング１００の凸部１０２Ｂに、メッキ等の表面処理を施してもよい。
【００７４】
（作用効果）
次に、スライドノブ８０がスライド操作された時のスライドノブ８０の操作検出と、ロータリーノブアッシー４０が回転操作されたときのロータリーノブアッシー４０の操作検出と、を説明しつつ、本実施の形態の作用及び効果を説明する。
【００７５】
（入力装置１０の非作動状態について）
入力装置１０の非作動状態では、スライド操作機構６０が中立位置に配置されており（図３（Ａ）及び図４（Ａ）参照）、検出機構９０のプレート９２が初期位置に配置されている。このため、図１に示されるように、上下方向において、第１反射板９４Ａと第１検出部３２Ａとが対向配置しておらず、第１反射板９４Ｂと第１検出部３２Ｂとが対向配置していない。また、この状態では、上下方向において、プレート９２のレンズ９８Ａと第１検出部３２Ａとが対向配置し、レンズ９８Ｂと第１検出部３２Ｂとが対向配置している。このため、第１検出部３２Ａ，３２Ｂから上側へ照射した光は、レンズ９８Ａ，９８Ｂを透過し、リフレクタリング１００の凹凸部１０２によって反射する。そして、第１検出部３２Ａ，３２Ｂは、凹凸部１０２によって反射した光を受光する。このため、第１検出部３２Ａ，３２Ｂは、リフレクタリング１００の凹凸部１０２との上下距離に応じた出力信号を制御部３６へ出力する。
一方、プレート９２の初期位置では、上下方向において、第２反射板９６と第２検出部３４とが対向配置している。このため、第２検出部３４が制御部３６にオン信号を出力する。
【００７６】
（スライドノブ８０の第１方向への操作について）
入力装置１０の非作動状態から、操作者によって、スライドノブ８０を第１方向一方側（図４（Ａ）の矢印Ｃ方向）へ操作すると、ノブベース６８（移動機構６１）がスライドノブ８０と共に第１方向一方側へ移動する。具体的には、ノブベース６８のガイド片６８Ｂが、スライダ５４のガイド溝５４Ｆによってガイドされながら、ガイド溝５４Ｆ内を第１方向一方側へ移動する。これにより、ノブベース６８（移動機構６１）がスライダ５４に対して第１方向一方側へ相対移動する（図４（Ｂ）参照）。
【００７７】
ノブベース６８（移動機構６１）が、第１方向一方側へ移動すると、移動機構６１のピン６４の下端部が、リッド２０の支持凹部２２Ａ上を第１方向一方側へ摺動する。これにより、ピン６４が、付勢バネ６６の付勢力に抗して、操作軸６２Ｄの軸方向上側へ変位しながら、支持凹部２２Ａから第１方向一方側へ抜け出て、傾斜凹部２２Ｂ上を第１方向一方側へ摺動する。よって、操作軸６２Ｄが、軸線ＡＬに対して第１方向一方側へ変位する（図４（Ｂ）参照）。
【００７８】
操作軸６２Ｄが、第１方向一方側へ変位すると、検出機構９０のプレート９２が操作軸６２Ｄと共に第１方向一方側へ変位する。このため、図７（Ａ）及び図８（Ａ）に示されるように、第２反射板９６が第２検出部３４に対して第１方向一方側へ相対変位する。これにより、上下方向における第２反射板９６と第２検出部３４との対向配置状態が解除される。その結果、第２検出部３４から上側へ照射された光が、プレート９２によって反射しなくなる。したがって、第２検出部３４からの出力信号がオン信号からオフ信号へ切替る。なお、図７では、便宜上、オン信号を出力する第１検出部３２Ａ，３２Ｂ、第２検出部３４を、塗り潰して図示している。
【００７９】
また、プレート９２が第１方向一方側へ変位すると、プレート９２のレンズ９８Ａ，９８Ｂが第１検出部３２Ａ，３２Ｂに対して第１方向一方側へ相対変位する。これにより、上下方向における、レンズ９８Ａ（９８Ｂ）と第１検出部３２Ａ（３２Ｂ）との対向配置状態が解除される。また、このときには、平面視で、第１反射板９４Ａが第１検出部３２Ａと重なり、第１反射板９４Ｂが第１検出部３２Ｂと重なる。このため、第１検出部３２Ａから照射された光が第１反射板９４Ａによって反射して、第１検出部３２Ａが反射光を受光する。また、第１検出部３２Ｂから照射された光が第１反射板９４Ｂによって反射して、第１検出部３２Ｂが反射光を受光する。これにより、第１検出部３２Ａ及び第１検出部３２Ｂからの出力信号が、いずれもオン信号になる。
【００８０】
次に、操作者によって、スライドノブ８０を中立位置から第１方向他方側へ操作すると、移動機構６１の操作軸６２Ｄが軸線ＡＬに対して、第１方向他方側へ変位する。なお、移動機構６１は、上述と同様に作動するため、移動機構６１の動作の説明は、割愛する。
【００８１】
操作軸６２Ｄが、軸線ＡＬに対して第１方向他方側へ変位すると、検出機構９０のプレート９２が操作軸６２Ｄと共に第１方向他方側へ変位する。このため、図７（Ｂ）及び図８（Ｂ）に示されるように、第２反射板９６が第２検出部３４に対して第１方向他方側へ相対変位する。これにより、上述と同様に、上下方向における第２反射板９６と第２検出部３４との対向配置状態が解除される。その結果、第２検出部３４からの出力信号がオン信号からオフ信号へ切替る。
【００８２】
また、プレート９２が第１方向他方側へ変位すると、プレート９２のレンズ９８Ａ，９８Ｂが第１検出部３２Ａ，３２Ｂに対して第１方向他方側へ相対変位する。これにより、上述と同様に、上下方向における、レンズ９８Ａ（９８Ｂ）と第１検出部３２Ａ（３２Ｂ）との対向配置状態が解除される。また、このときには、平面視で、第１反射板９４Ａが第１検出部３２Ａと重ならず、第１反射板９４Ｂが第１検出部３２Ｂと重ならない。このため、第１検出部３２Ａ及び第１検出部３２Ｂからの出力信号が、いずれもオフ信号になる。
【００８３】
（スライドノブ８０の第２方向への操作について）
スライドノブ８０の中立位置から、操作者によって、スライドノブ８０を第２方向一方側（図３（Ａ）の矢印Ｅ方向）へ操作すると、ノブベース６８（移動機構６１）が、スライドノブ８０と共にホルダ５２に対して第２方向一方側へ移動する。具体的には、ノブベース６８のガイド片６８Ｂが、スライダ５４のガイドレール５４Ｅにおけるガイド溝５４Ｆに係合して、スライダ５４が第２方向一方側へ押圧される。このため、スライダ５４のガイド凹部５４Ｃ，５４Ｄがホルダ５２の支持柱５２Ｄ及び支持柱５２Ｅに対して第２方向一方側へ相対移動する。これにより、ノブベース６８（移動機構６１）が、スライダ５４と共にホルダ５２に対して第２方向一方側へ移動する（図３（Ｂ）参照）。
【００８４】
ノブベース６８（移動機構６１）が、第２方向一方側へ移動すると、移動機構６１のピン６４の下端部が、リッド２０の支持凹部２２Ａ上を第２方向一方側へ摺動する。これにより、ピン６４が、付勢バネ６６の付勢力に抗して、操作軸６２Ｄの軸方向上側へ変位しながら、支持凹部２２Ａから第２方向一方側へ抜け出て、傾斜凹部２２Ｂ上を第２方向一方側へ摺動する。よって、操作軸６２Ｄが、軸線ＡＬに対して第２方向一方側へ変位する（図３（Ｂ）参照）。
【００８５】
操作軸６２Ｄが、第２方向一方側へ変位すると、検出機構９０のプレート９２が操作軸６２Ｄと共に第２方向一方側へ変位する。このため、図７（Ｃ）に示されるように、第２反射板９６が第２検出部３４に対して第２方向一方側へ相対変位する。これにより、上下方向における第２反射板９６と第２検出部３４との対向配置状態が解除される。その結果、上述と同様に、第２検出部３４からの出力信号がオン信号からオフ信号へ切替る。
【００８６】
また、プレート９２が第２方向一方側へ変位すると、プレート９２のレンズ９８Ａ，９８Ｂが第１検出部３２Ａ，３２Ｂに対して第２方向一方側へ相対変位する。これにより、上下方向における、レンズ９８Ａ（９８Ｂ）と第１検出部３２Ａ（３２Ｂ）との対向配置状態が解除される。また、このときには、平面視で、第１反射板９４Ａが第１検出部３２Ａと重ならず、第１反射板９４Ｂが第１検出部３２Ｂと重なる。このため、第１検出部３２Ａの出力信号が、オフ信号になり、第１検出部３２Ｂからの出力信号が、オン信号になる。
【００８７】
次に、操作者によって、スライドノブ８０を第２方向他方側へ操作すると、移動機構６１の操作軸６２Ｄが軸線ＡＬに対して、第２方向他方側へ変位する。なお、移動機構６１は、上述と同様に作動するため、移動機構６１の動作の説明は、割愛する。
【００８８】
操作軸６２Ｄが、第２方向他方側へ変位すると、検出機構９０のプレート９２が操作軸６２Ｄと共に第２方向他方側へ変位する。このため、図７（Ｄ）に示されるように、第２反射板９６が第２検出部３４に対して第２方向他方側へ相対変位する。これにより、上述と同様に、上下方向における第２反射板９６と第２検出部３４との対向配置状態が解除される。その結果、上述と同様に、第２検出部３４からの出力信号がオン信号からオフ信号へ切替る。
【００８９】
また、プレート９２が第２方向他方側へ変位すると、プレート９２のレンズ９８Ａ，９８Ｂが第１検出部３２Ａ，３２Ｂに対して第２方向他方側へ相対変位する。これにより、レンズ９８Ａ（９８Ｂ）と第１検出部３２Ａ（３２Ｂ）との対向配置状態が解除される。また、このときには、平面視で、第１反射板９４Ａが第１検出部３２Ａと重なり、第１反射板９４Ｂが第１検出部３２Ｂと重ならない。このため、第１検出部３２Ａの出力信号が、オン信号になり、第１検出部３２Ｂからの出力信号が、オフ信号になる。
【００９０】
なお、スライドノブ８０の第１方向（第２方向）への操作完了後は、移動機構６１の付勢バネ６６の付勢力によって、移動機構６１のピン６４が、リッド２０の傾斜凹部２２Ｂ上を初期位置側へ摺動して、支持凹部２２Ａ内に収容される。このため、スライドノブ８０（スライド操作機構６０）が中立位置に復帰する。
【００９１】
（ロータリーノブアッシー４０の回転操作について）
ロータリーノブアッシー４０の回転操作時では、スライドノブ８０（すなわち、スライド操作機構６０）が中立位置に維持されている。このため、検出機構９０のプレート９２が初期位置に維持される。
よって、上述のように、上下方向において、プレート９２のレンズ９８Ａ（９８Ｂ）と第１検出部３２Ａ（３２Ｂ）とが対向配置されている。このため、第１検出部３２Ａ（３２Ｂ）から照射された光がレンズ９８Ａ（９８Ｂ）を透過して、リフレクタリング１００の凹凸部１０２を照射している。また、上下方向において、第２反射板９６と第２検出部３４とが対向配置されている。このため、ロータリーノブアッシー４０の回転操作時では、第２検出部３４が制御部３６に常にオン信号を出力する。
【００９２】
そして、以下の説明では、図９（Ａ）に示される状態１をロータリーノブアッシー４０の非作動状態（回転操作前の状態）とし、状態１からロータリーノブアッシー４０を回転方向一方側（図９の矢印Ｇ方向側）へ１ピッチ（１８度）回転させた状態を状態２（図９（Ｂ）参照）とし、状態２から１ピッチさらに回転させた状態を状態３（図９（Ｃ）参照）とし、状態３から１ピッチさらに回転させた状態を状態４（図９（Ｄ）参照）として説明する。なお、図９では、便宜上、リフレクタリング１００の凸部１０２Ｂにハッチングを施して図示している。また、ロータリーノブアッシー４０の回転ピッチをドットにて図示している。
【００９３】
図９（Ａ）に示されるように、状態１では、上下方向において、第１検出部３２Ａが、リフレクタリング１００の凸部１０２Ｂに対向配置され、第１検出部３２Ｂが、他の凸部１０２Ｂに対向配置されている。このため、第１検出部３２Ａ及び第１検出部３２Ｂの出力信号が、何れもオン信号となる。
【００９４】
ロータリーノブアッシー４０を状態１から状態２に回転させると、図９（Ｂ）に示されるように、上下方向において第１検出部３２Ａと対向配置される凹凸部１０２が、凸部１０２Ｂから凹部１０２Ａへ切替る。一方、状態２では、第１検出部３２Ｂと対向配置される凹凸部１０２が、凸部１０２Ｂとして維持される。このため、第１検出部３２Ａの出力信号が、オン信号からオフ信号へ切替わり、第１検出部３２Ｂの出力信号は、切替わらず、オン信号のままとなる。
【００９５】
ロータリーノブアッシー４０を状態２から状態３へ回転させると、図９（Ｃ）に示されるように、第１検出部３２Ａと対向配置される凹凸部１０２が、凹部１０２Ａとして維持される。一方、状態３では、上下方向において第１検出部３２Ｂと対向配置される凹凸部１０２が、凸部１０２Ｂから凹部１０２Ａへ切替る。このため、第１検出部３２Ａの出力信号が、切替わらず、オフ信号のままとなり、第１検出部３２Ｂの出力信号が、オン信号からオフ信号へ切替わる。
【００９６】
ロータリーノブアッシー４０を状態３から状態４へ回転させると、図９（Ｄ）に示されるように、第１検出部３２Ａと対向配置される凹凸部１０２が、凹部１０２Ａから凸部１０２Ｂへ切替る。一方、状態４では、上下方向において第１検出部３２Ｂと対向配置される凹凸部１０２が、凹部１０２Ａとして維持される。このため、第１検出部３２Ａの出力信号が、オフ信号からオン信号へ切替り、第１検出部３２Ｂの出力信号は、切替わらず、オフ信号のままとなる。
【００９７】
そして、状態４からロータリーノブアッシー４０を回転方向一方側へさらに１ピッチ回転させると、状態１に戻る。よって、以降、状態１から状態４の回転操作が繰り返される。
【００９８】
一方、状態１からロータリーノブアッシー４０を回転方向他方側（図９（Ａ）の矢印Ｈ方向側）へ１ピッチ毎に回転させると、ロータリーノブアッシー４０の状態が、状態１、状態４、状態３、状態２の順に切替わる。これにより、ロータリーノブアッシー４０を回転方向他方側への回転操作時においても、第１検出部３２Ａ及び第１検出部３２Ｂの出力信号が、上記の出力状態となる。
【００９９】
図１０に示される表は、上記のスライドノブ８０に対するスライド操作時と、ロータリーノブアッシー４０に対する回転操作時における、第１検出部３２Ａ，３２Ｂ及び第２検出部３４の出力信号を示している。
図１０（Ａ）及び（Ｂ）に示されるように、スライドノブ８０に対するスライド操作時には、第２検出部３４における出力信号が、常にオフ信号になり、ロータリーノブアッシー４０に対する回転操作時には、第２検出部３４における出力信号が、常にオン信号になる。これにより、入力装置１０に対する操作が、スライド操作及び回転操作の何れの操作であるのかを、第２検出部３４によって検出することができる。
【０１００】
また、図１０（Ａ）に示されるように、スライドノブ８０に対するスライド操作時には、第１検出部３２Ａ，３２Ｂの出力信号の組み合わせが、全て異なる組み合わせになる。このため、スライドノブ８０の第１方向又は第２方向の操作を第１検出部３２Ａ，３２Ｂによって検出することができる。
【０１０１】
さらに、図１０（Ｂ）に示されるように、ロータリーノブアッシー４０に対する回転操作時には、状態１〜状態４における第１検出部３２Ａ，３２Ｂの出力信号の組み合わせが、全て異なる組み合わせになる。このため、ロータリーノブアッシー４０の回転位置を第１検出部３２Ａ，３２Ｂによって検出することができる。また、ロータリーノブアッシー４０の回転方向一方側と他方側との回転では、ロータリーノブアッシー４０の状態変化の順番が異なる。このため、ロータリーノブアッシー４０の回転方向を第１検出部３２Ａ，３２Ｂによって検出することができる。
【０１０２】
このように、本実施の形態の入力装置１０によれば、スライド操作及び回転操作の両方において、第１検出部３２Ａ，３２Ｂ及び第２検出部３４を用いて、スライド操作及び回転操作を検出することができる。したがって、入力装置１０における操作を検出するための検出部の数を少なくすることができる。
【０１０３】
また、検出機構９０では、スライド操作機構６０のスライドに連動して、第１反射板９４Ａ，９４Ｂがスライドし、ロータリーノブアッシー４０の回転に連動して、リフレクタリング１００の凹凸部１０２が回転する。そして、上述のように、入力装置１０に対する操作が、スライド操作及び回転操作の何れの操作であるのかを、第２検出部３４によって検出している。このため、第１検出部３２Ａ，３２Ｂが、第１反射板９４Ａ，９４Ｂ又は凹凸部１０２の位置変化を検出することで、入力装置１０におけるスライド操作機構６０又はロータリーノブアッシー４０の操作位置を検出することができる。
【０１０４】
また、検出機構９０の第２反射板９６は、スライド操作機構６０のスライドに連動し、且つロータリーノブアッシー４０の回転に非連動に構成されている。このため、第２検出部３４が、第２反射板９６の位置変化を検出することで、入力装置１０に対する操作がスライド操作及び回転操作の何れの操作であるのかを容易に検出することができる。
【０１０５】
また、検出機構９０のリフレクタリング１００は、ロータリーノブアッシー４０と一体回転可能に構成された円筒状に形成されており、リフレクタリング１００の下端部に、リフレクタリング１００の回転位置を検出するための凹凸部１０２が設けられている。そして、上下方向において、第１検出部３２Ａ，３２Ｂと凹凸部１０２とが対向配置されている。このため、第１検出部３２Ａ，３２Ｂと凹凸部１０２との間の上下距離に応じて、ロータリーノブアッシー４０の回転位置及び回転方向を第１検出部３２Ａ，３２Ｂによって検出することができる。
【０１０６】
また、リフレクタリング１００が、ロータリーノブアッシー４０と別体で構成されている。このため、入力装置１０の意匠性に影響を与えずに、ロータリーノブアッシー４０の回転操作を検出することができる。すなわち、リフレクタリング１００とロータリーノブアッシー４０とを一体に構成した場合には、ロータリーノブアッシー４０の硬質部４４を白色の樹脂材によって構成することになる。一方、ロータリーノブアッシー４０は、外部に操作可能に露出される外観部品としても構成されている。これにより、上記の場合では、ロータリーノブアッシー４０の全体が白色になるため、入力装置１０の意匠性に影響を与える。これに対して、リフレクタリング１００を、ロータリーノブアッシー４０と別体で構成することで、入力装置１０の意匠性に影響を与えずに、ロータリーノブアッシー４０の回転操作を検出することができる。
【０１０７】
また、検出機構９０のプレート９２に第１反射板９４Ａ，９４Ｂが設けられている。さらに、プレート９２が、第１方向及び第２方向においてスライド操作機構６０と一体移動可能に連結されており、ロータリーノブアッシー４０がプレート９２に対して軸線ＡＬ回りに相対移動可能に構成されている。
このため、スライドノブ８０のスライド操作時には、プレート９２によって第１反射板９４Ａ，９４Ｂをスライドノブ８０と一体にスライドさせることができる。したがって、第１検出部３２Ａ（３２Ｂ）が第１反射板９４Ａ（９４Ｂ）の位置変化を検出することで、スライドノブ８０のスライド操作位置を検出することができる。
一方、ロータリーノブアッシー４０の回転操作時には、プレート９２によって第１反射板９４Ａ，９４Ｂを初期位置に維持することができる。したがって、第１検出部３２Ａ（３２Ｂ）が第１反射板９４Ａ（９４Ｂ）の位置変化を検出することなく、ロータリーノブアッシー４０の回転操作位置を検出することができる。
【０１０８】
また、第１検出部３２Ａ，３２Ｂが、フォトリフレクタとして構成され、第１反射板９４Ａ，９４Ｂ及びリフレクタリング１００の凹凸部１０２が、第１検出部３２Ａ，３２Ｂによって照射された光を第１検出部３２Ａ，３２Ｂへ反射する反射部として構成されている。また、第１反射板９４Ａ（９４Ｂ）及び凹凸部１０２が、第１検出部３２Ａ（３２Ｂ）に対して上側に離間して配置されている。このため、所謂非接触型のセンサを用いて、スライドノブ８０及びロータリーノブアッシー４０の位置変化を検出することができる。これにより、例えば、第１検出部３２Ａ，３２Ｂを接触型のセンサとして構成する場合と比べて、スライドノブ８０及びロータリーノブアッシー４０に操作に対する第１検出部３２Ａ，３２Ｂの影響を抑制しつつ、入力装置１０に対する操作を検出することができる。
また、上述のように、第１反射板９４Ａ（９４Ｂ）及び凹凸部１０２が、第１検出部３２Ａ（３２Ｂ）に対して上側に離間して配置されている。すなわち、第１反射板９４Ａ（９４Ｂ）及び凹凸部１０２が、第１検出部３２Ａ（３２Ｂ）に対して同じ方向に配置されている。このため、フォトリフレクタとして構成された第１検出部３２Ａ（３２Ｂ）によって、第１反射板９４Ａ（９４Ｂ）及び凹凸部１０２の位置変化を検出することができる。
【０１０９】
また、プレート９２には、第１検出部３２Ａ，３２Ｂによって照射された光を透過させるレンズ９８Ａ，９８Ｂが設けられている。また、プレート９２の初期位置において、第１検出部３２Ａ（３２Ｂ）、レンズ９８Ａ（９８Ｂ）、及びリフレクタリング１００の凹凸部１０２が、上下方向に重なって配置されている。このため、第１反射板９４Ａ（９４Ｂ）（すなわち、プレート９２）及び凹凸部１０２を、第１検出部３２Ａ（３２Ｂ）に対して同じ方向に配置し、且つ凹凸部１０２をプレート９２に対して上側に配置した構成にしても、第１検出部３２Ａ，３２Ｂから照射された光を、レンズ９８Ａ，９８Ｂによって凸部１０２Ｂに良好に導くことができると共に、凸部１０２Ｂによって反射した光を、レンズ９８Ａ，９８Ｂによって第１検出部３２Ａ，３２Ｂに良好に導くことができる。これにより、第１検出部３２Ａ，３２Ｂの検出精度を向上することができる。
【０１１０】
また、リフレクタリング１００の凹凸部１０２は、凹部１０２Ａと凸部１０２Ｂとを含んで構成されており、リフレクタリング１００が回転することで、第１検出部３２Ａ，３２Ｂと凹凸部１０２との間の上下距離が変化する。これにより、簡易な構成でリフレクタリング１００（すなわち、ロータリーノブアッシー４０）の回転位置変化を検出することができる。
【０１１１】
また、検出機構９０では、第２反射板９６が、プレート９２に設けられている。このため、スライドノブ８０のスライド時に、第２反射板９６をスライドノブ８０と共にスライドさせることができると共に、ロータリーノブアッシー４０の回転時に、第２反射板９６を初期位置に維持することができる。したがって、入力装置１０に対する操作がスライド操作及び回転操作の何れの操作であるのかを容易に検出することができる。
また、前述のようにプレート９２には、第１反射板９４Ａ，９４Ｂが設けられている。これにより、単一部材（プレート９２）によって、第１反射板９４Ａ，９４Ｂ及び第２反射板９６を、スライドノブ８０と連動させることができると共に、ロータリーノブアッシー４０に対して非連動にすることができる。
【０１１２】
また、入力装置１０では、スライドノブ８０が第１方向及び第２方向へスライド可能に構成されている。すなわち、スライドノブ８０が中立位置から４方向へスライド可能に構成されている。このため、入力装置１０を、多機能型の入力装置として構成できる。
【０１１３】
また、入力装置１０では、スライドノブ８０が軸線ＡＬに沿ってプッシュ操作（押圧操作）可能に構成されている。これにより、入力装置１０を、より一層多機能に構成することができる。
【０１１４】
なお、本実施の形態では、スライドノブ８０とロータリーノブアッシー４０とが別体で構成されているが、スライドノブ８０とロータリーノブアッシー４０とを一体に構成してもよい。この場合には、例えば、スライド操作機構６０のシャフト６２における操作軸６２Ｄの外形を円形にすると共に、検出機構９０のプレート９２の嵌合孔９２Ｃを円形に形成する。そして、操作軸６２Ｄをプレート９２の嵌合孔９２Ｃ内に相対回転可能に挿入し、上下方向においてプレート９２を操作軸６２Ｄによって保持するように構成してもよい。これにより、スライドノブ８０のスライド時には、プレート９２に操作力が伝達されてプレート９２がスライドノブ８０と連動してスライドする。一方、ロータリーノブアッシー４０の回転時には、ロータリーノブアッシー４０がプレート９２に対して相対回転する。このため、プレート９２に操作力が伝達されず、プレート９２の初期位置が維持される。これにより、本実施の形態と同様の作用及び効果を奏することができる。
【０１１５】
また、本実施の形態では、レンズ９８Ａ，９８Ｂがプレート９２に設けられているが、第１検出部３２Ａ，３２Ｂとリフレクタリング１００の凸部１０２Ｂとの間の上下距離が比較的短い場合には、プレート９２において、レンズ９８Ａ，９８Ｂを省略して、プレート９２に孔部を形成してもよい。すなわち、この場合には、レンズ９８Ａ，９８Ｂを用いなくても、第１検出部３２Ａ，３２Ｂから照射された光を、孔部を通過させて凸部１０２Ｂに良好に到達させることができる。これにより、プレート９２のコストアップを抑制することができる。
【符号の説明】
【０１１６】
１０          入力装置
１２          ケース
２０          リッド（支持部材）
２０Ａ        リブ
２０Ｂ        固定ボス
２２          隆起部
２２Ａ        支持凹部
２２Ｂ        傾斜凹部
３０          基板
３０Ａ        孔部
３２Ａ        第１検出部
３２Ｂ        第１検出部
３４          第２検出部
３６          制御部
４０          ロータリーノブアッシー（回転操作機構）
４０Ａ        把持部
４０Ｂ        保持爪
４０Ｂ１      保持爪部
４０Ｃ        保持突起
４０Ｄ        節度山
４２          軟質部
４４          硬質部
５０          スライド機構
５２          ホルダ
５２Ａ        固定鍔
５２Ｂ        収容部
５２Ｃ        挿通孔
５２Ｃ１      第１スリット孔
５２Ｃ２      第２スリット孔
５２Ｄ        支持柱
５２Ｄ１      収容凹部
５２Ｅ        支持柱
５２Ｆ        切欠部
５４          スライダ
５４Ａ        ガイド部
５４Ｂ        挿通孔
５４Ｃ        ガイド凹部
５４Ｄ        ガイド凹部
５４Ｅ        ガイドレール
５４Ｆ        ガイド溝
５６          節度機構
５７          節度部材
５７Ａ        節度部
５８          付勢バネ
６０          スライド操作機構
６１          移動機構
６２          シャフト
６２Ａ        シャフトベース
６２Ｂ        ストッパ片
６２Ｂ１      基部
６２Ｂ２      ストッパ部
６２Ｃ        シャフト本体
６２Ｄ        操作軸
６２Ｅ        ピン収容部
６２Ｅ１      第１ピン収容部
６２Ｅ２      第２ピン収容部
６２Ｆ        固定凹部
６４          ピン
６４Ａ        鍔部
６６          付勢バネ
６８          ノブベース
６８Ａ        固定孔
６８Ｂ        ガイド片
６８Ｃ        ガイドレール
６８Ｄ        ガイド溝
６８Ｅ        係合片
６８Ｅ１      係合孔
７０          基板
７２          スイッチ
７４          接続部材
８０          スライドノブ
８０Ａ        ガイド部
８０Ｂ        ボス
８２          タッチパッド
８４          ノブリング
８４Ａ        固定片
９０          検出機構
９２          プレート
９２Ａ        第１プレート部
９２Ｂ        第２プレート部
９２Ｃ        嵌合孔
９４Ａ        第１反射板（被スライド検出部、反射部）
９４Ｂ        第１反射板（被スライド検出部、反射部）
９６          第２反射板（被操作検出部）
９８Ａ        レンズ（透光部）
９８Ｂ        レンズ（透光部）
１００        リフレクタリング（回転体）
１００Ａ      嵌合片
１０２        凹凸部（被回転検出部、反射部）
１０２Ａ      凹部
１０２Ｂ      凸部
ＡＬ          軸線
Ｌ１          第１基準線
Ｌ２          第２基準線
ＳＣ１        ネジ
ＳＣ２        ネジ
【図１】
2019110035.tif 000003
【図２】
2019110035.tif 000004
【図３】
2019110035.tif 000005
【図４】
2019110035.tif 000006
【図５】
2019110035.tif 000007
【図６】
2019110035.tif 000008
【図７】
2019110035.tif 000009
【図８】
2019110035.tif 000010
【図９】
2019110035.tif 000011
【図１０】
2019110035.tif 000012